(57)【要約】      （修正有）【課題】開閉物体の取付け孔内で相互に嵌合する周壁をそれぞれ有する表裏の部材の空気通路による見栄えを悪くすることがない取っ手を提供する。【解決手段】開閉物体Ｍの取付け孔ＭＨ内で相互に嵌合する周壁２２，３２をそれぞれ有する表裏の部材２０、３０のそれぞれ周壁２２、３２の間で周壁２２の内面に嵌合方向に延びる多数の通気溝４２を有し、これらの通気溝４２の一端は、裏側部材３０の取付け板３４で開口し、通気溝４２の他端は、表側部材２０の周壁２２の開口側端部で開口し、通気溝４２の開後端部側の開口４２ＵＯを閉じるように補助蓋５２が表側部材２０に被せられている。【選択図】図２
2015039508.tif 000002
【特許請求の範囲】
【請求項１】
物体の表側と裏側にそれぞれ相対して取り付けられ、前記物体の取付け孔内で相互に嵌合すべき周壁を有する表側部材と裏側部材を備え、前記裏側部材は、前記物体の取付け孔を閉じるべき取付け板を有し、且つ前記物体の内外を通気する通気手段を含む取っ手において、前記通気手段は、前記表側部材と裏側部材とのそれぞれ周壁の間で嵌合方向に延びて前記物体の内外を通気する通気溝から成っていることを特徴とする取っ手。
【請求項２】
請求項１に記載の取っ手であって、前記表側部材は、前記通気手段の前記通気溝の上端開口を閉じることなく覆う開口覆い手段を有することを特徴とする取っ手。
【請求項３】
請求項１又は２に記載の取っ手であって、前記通気溝は、前記表側部材の周壁の内周面に設けられていることを特徴とする取っ手。
【請求項４】
請求項１又は２に記載の取っ手であって、前記通気溝は、前記裏側部材の周壁の外周面又は前記表側部材の周壁と裏側部材の周壁との相対する周面に半円形の形態で設けられていることを特徴とする取っ手。
【請求項５】
請求項２に記載の取っ手であって、前記開口覆い手段は、前記表側部材に設けられたフランジに被せられて前記通気溝の開口を覆う補助蓋から成っていることを特徴とする取っ手。
【請求項６】
請求項２に記載の取っ手であって、前記開口覆い手段は、前記表側部材の周壁から内向きに延びる突出部から成っていることを特徴とする取っ手。
【発明の詳細な説明】
【技術分野】
【０００１】
本発明は、家庭用、事務用の各種家具、什器等の抽斗、戸、扉等の如き開閉物体に取り付けて抽斗、戸等を手の指先で引っ掛けて開閉したり、種々の物体を持ち上げるために物体の両側に設けられた指掛け凹みに取り付けられて物体を上げ下げしたりする取っ手に関し、特に、物体の内外を通気して物体内の湿気が籠るのを防止するようにした取っ手の改良に関するものである。
【背景技術】
【０００２】
従来から、開閉物体の孔に表側と裏側とから相互に相対して嵌合し結合して表側部材に設けられた引っ掛け孔に指を引っ掛けて開閉物体を開閉するようにした取っ手が用いられているが、この種の取っ手において、開閉物体内に湿気が籠るのを防止するために通気孔を備えているが、この通気孔が正面から見え難くするようにしたものが提案されている（特許文献１参照）。
【０００３】
この種の取っ手は、例えば、特許文献１の実施例を参照して述べると（以下カッコ内に特許文献１の相応する部品を表示する）、表側部材（把手本体２）と裏側部材（取付板３）とにそれぞれ周壁（前部周壁４、後部周壁７）を有し、周壁４の小径壁部分（嵌合部４ｂ）と周壁７とは、開閉物体（家具Ａ）の孔（長孔Ａ１）内で相互に嵌合し、表側部材２の周壁４に一体に形成された正面フランジ（前面板５）を開閉物体Ａの表面に係合し、裏側部材３の周壁７に一体に形成された取付け板（背面板８）を開閉物体Ａの裏面に係合し、これらの表裏の部材２、３をねじ（取付具Ｂ）によって相互にねじ止めして結合している。
【０００４】
また、開閉物体の内外を通気するために、裏側部材３の取付け板８にその板面を貫通する多数の通気孔（小孔９）が設けられているが、これらの通気孔９が正面から見えるのを抑制するために、これらの小孔９は、表側部材２の上縁に設けられた手掛け片（手掛け板５ａ）に相対する位置に設けられている。
【０００５】
この特許文献１による取っ手は、特許文献１の図４（Ａ）に示すように、目線が取っ手よりも上方にある場合には、通気孔９が手掛け片５ａによって目線から遮られるが、目線が取っ手と同じ水平位置かそれよりも下方にあると、通気孔９が目線に入って隠ぺいされることがなく、見栄えが良くない欠点があった。
【先行技術文献】
【特許文献】
【０００６】
【特許文献１】実用新案登録第３１２７０３７号公報
【発明の概要】
【発明が解決しようとする課題】
【０００７】
本発明が解決しようとする課題は、目線の位置に拘わらず、見栄えが悪くなることがない取っ手を提供することにある。
【課題を解決するための手段】
【０００８】
本発明の課題解決手段は、物体の表側と裏側にそれぞれ相対して取り付けられ、前記物体の取付け孔内で相互に嵌合すべき周壁を有する表側部材と裏側部材を備え、前記裏側部材は、前記物体の取付け孔を閉じるべき取付け板を有し、且つ前記物体の内外を通気する通気手段を含む取っ手において、前記通気手段は、前記表側部材と裏側部材とのそれぞれ周壁の間で嵌合方向に延びて前記物体の内外を通気する通気溝から成っていることを特徴とする取っ手を提供することにある。
【０００９】
本発明の課題解決手段において、前記表側部材は、前記通気手段の前記通気溝の上端開口を閉じることなく覆う開口覆い手段を有するのが好ましい。この場合、この開口覆い手段は、表側部材に設けられたフランジに被せられて前記開口を覆う補助蓋から成っていてもよいし、表側部材の周壁から内向きに延びるフランジの如き突出部から成っていてもよい。
【００１０】
本発明の課題解決手段において、前記通気溝は、前記表側部材の周壁の内面に設けられているのが好ましいが、逆に裏側部材の周壁の外面に設けられていてもよいし、表側部材の周壁と裏側部材の周壁との相対する面に半円形の形態で設けられて形成されてもよい。
【発明の効果】
【００１１】
本発明によれば、上記のように、通気手段は、表側部材の周壁と裏側部材の周壁との間でこれらの周壁の嵌合方向に延びて形成された通気溝から成っているので、これらの通気溝の表側部材側の端部は、表裏の部材の周壁の間で開口することになり、この開口を閉じることなく覆うことによって通気を妨げることなく、且つ開口を隠ぺいすることができ、目線がどこにあっても見栄えを悪くすることがない。
【図面の簡単な説明】
【００１２】
【図１】本発明の第１の実施の形態による取っ手の使用状態を示し、同図（Ａ）（Ｂ）は、それぞれ、その左右から俯瞰した状態の斜視図である。
【図２】図１の使用状態にある取っ手の中央拡大横断面図である。
【図３】図１の取っ手の外観を示し、同図（Ａ）（Ｂ）（Ｃ）は、それぞれその正面図、側面図及び背面図である。
【図４】図１の取っ手を断面で示し、同図（Ａ）（Ｂ）は、それぞれ、図３（Ｃ）の４Ａ−４Ａ線及び４Ｂ−４Ｂ線の断面図である。
【図５】図１の取っ手を分解して示し、同図（Ａ）（Ｂ）は、表側から見た分解斜視図と裏側から見た分解斜視図である。
【図６】図１の取っ手に用いられる表側部材の本体を示し、同図（Ａ）乃至（Ｄ）は、それぞれ、その正面図、背面図、同図（Ａ）の６Ｃ−６Ｃ線断面図及び同図（Ｂ）の６Ｄ−６Ｄ線断面図である。
【図７】図１の取っ手に用いられる裏側部材を示し、同図（Ａ）乃至（Ｅ）は、それぞれ、その正面図、背面図、同図（Ａ）の７Ｃ−７Ｃ線断面図、同図（Ｂ）の７Ｄ−７Ｄ線断面図及び同図（Ｂ）の７Ｅ−７Ｅ線断面図である。
【図８】本発明の第２の実施の形態による取っ手の使用状態を示し、同図（Ａ）（Ｂ）は、それぞれ、その左右から俯瞰した状態の斜視図である。
【図９】図８の使用状態にある取っ手の中央拡大横断面図である。
【図１０】図８の取っ手の外観を示し、同図（Ａ）（Ｂ）（Ｃ）は、それぞれその正面図、側面図及び背面図である。
【図１１】図８の取っ手を断面で示し、同図（Ａ）（Ｂ）は、それぞれ、図１０（Ｃ）の１１Ａ−１１Ａ線及び１１Ｂ−１１Ｂ線の断面図である。
【図１２】図８の取っ手を分解して示し、同図（Ａ）（Ｂ）は、表側から見た分解斜視図と裏側から見た分解斜視図である。
【図１３】図８の取っ手に用いられる表側部材を示し、同図（Ａ）乃至（Ｄ）は、それぞれ、その正面図、背面図、同図（Ａ）の１３Ｃ−１３Ｃ線断面図及び同図（Ｂ）の１３Ｄ−１３Ｄ線断面図である。
【発明を実施するための形態】
【００１３】
本発明の第１の実施の形態による取っ手１０が図１乃至図７に示されており、この取っ手１０は、図１及び図２に示すように、戸棚の戸の如き手で開閉する適宜の開閉物体Ｍの表側と裏側とにそれぞれ配置され、開閉物体Ｍの取付け孔ＭＨ（図２参照）内で相互に嵌合して結合すべき周壁２２、３２をそれぞれ含む表側部材２０と裏側部材３０とを備えている。
【００１４】
表側部材２０は、開閉物体Ｍの表面に係合すべきフランジ２４を有し、また裏側部材３０は、開閉物体Ｍの裏面に係合し取付け孔ＭＨを閉じるべき取付け板３４を有する。
【００１５】
表側部材２０と裏側部材３０とは、図２に示すように、表側部材２０の周壁２２の外面が取付け孔ＭＨの内面に係合するように表側部材２０の周壁２２の内面が裏側部材３０の周壁の外面に係合するようにして取付け孔ＭＨ内で相互に嵌合して結合されている。裏側部材３０の周壁３２は、下端側（周壁３２の開口側とは反対の側）に大周部３２Ｌを有し、この大周部３２Ｌは、表側部材２０の周壁２２とほぼ同じ外周寸法を有し、表側部材２０の周壁２２の下側開口端２２Ｅは、裏側部材３０の周壁３２の大周部３２Ｌに対面又は係合している。
【００１６】
図面から解るように、表側部材２０、裏側部材３０は、四隅に丸みを付した横長のほぼ矩形の形態を有し、それに伴って周壁２２、３２も四隅に丸みを付した横長のほぼ矩形の形態を有する。
【００１７】
図４から解るように、表側部材２０の周壁２２の長手方向の両端の一方側にねじ螺入部２２Ｈを有し、裏側部材３０の周壁３２のへこみ部３２Ｒであって取付け板３４にねじ貫通孔３４Ｈを有する。図示しないねじは、裏側部材３０のねじ貫通孔３４Ｈを貫通して表側部材２０のねじ螺入部２２Ｈにねじ込んで表側部材２０と裏側部材３０とを固定的に結合している。なお、ねじ貫通孔３４Ｈは、ねじの頭部が入り込む拡大部分３４ＨＬを有する。
【００１８】
本発明の取っ手１０は、開閉物体Ｍの内外を通気する通気手段４０を含み、この通気手段４０は、表側部材２０と裏側部材３０とのそれぞれ周壁２２、３２の間で嵌合方向に延びる通気溝４２から成っている。
【００１９】
図示の形態では、通気溝４２は、表側部材２０の周壁２２の内面に横方向（表裏の部材２０、３０の嵌合方向と直交する方向）に間隔をあけて設けられている多数の縦に細長い溝部分４２Ｐから成っている。図５（Ａ）（Ｂ）から解るように、これらの細長い通気溝４２は、矩形状の周壁２２の横長辺部に沿って設けられており、従って通気溝４２は、周壁２２の短辺部を除く内周面の大部分（相当の長い距離）に亘って形成されることになり、大きな通気量を有することができる。
【００２０】
図２に示すように、通気溝４２の下端（裏側の端部）４２ＬＯは、裏側部材３０の周壁３２の大周部３２Ｌと取付け板３４とに亘って形成された通気孔３６に相対しており、従って通気溝４２の下端４２ＬＯは、裏側部材３０の取付け板３４で開口していることになる。通気溝４２の上端（表側の端部）４２ＵＯは、表側部材２０の周壁２２の上端（表側の端部）２２Ｕで上向きに開口している。
【００２１】
表側部材２０は、通気手段４０の多数の通気溝４２の上向き開口４２ＵＯを閉じることなく覆う開口覆い手段５０を有する。図示の第１の実施の形態では、この開口覆い手段５０は、表側部材２０のフランジ２４に被せられて通気溝４２上向き開口４２ＵＯを覆う補助蓋５２から成っている。
【００２２】
この補助蓋５２は、図２に示すように、表側部材２０のフランジ２４の下面に係合する内向きフランジ５２Ｆを有し、取っ手１０の使用時には、この補助蓋５２の内向きフランジ５２Ｆは、表側部材２０のフランジ２４と開閉物体Ｍの取付け孔ＭＨの周縁表面との間に挟まれる。
【００２３】
補助蓋５２も、四隅に丸みを付した横長のほぼ矩形の形態を有し、その上壁５２Ｕは、周辺から中央に向けて斜め上向きに傾斜しており、その上縁から同様に四隅に丸みを付した矩形状の指差込み孔５２Ｈを形成するように下向きに延びる内周壁５４を有し、指差込み孔５２Ｈに差し込んだ指をこの内周壁５４に掛け止めて開閉物体Ｍを開閉するように取っ手１０を操作する。上壁５２Ｕは、図２及び図３（Ａ）に示すように、相対する長辺部分で幅を異にしていて、幅広の上壁部分に指を差し込むようにしているが、相対する長辺部分の幅は同じにしてもよい。
【００２４】
本発明のこの第１の実施の形態による取っ手１０は、図２に示すように、開閉物体Ｍの取付け孔ＭＨに表側部材２０の周壁２２を圧入し、表側部材２０の周壁２２の内面に裏側部材３０の周壁３２を嵌入し、図示しないねじを裏側部材３０のねじ貫通孔３２Ｈに貫通し、表側部材２０のねじ螺入部２２Ｈに螺入して表裏の部材２０、３０を結合して両者を一体に組立てて形成される。補助蓋５２は、予め、表側部材２０のフランジ２４に被せられており、従って表側部材２０の周壁２２を開閉物体Ｍの取付け孔ＭＨに圧入すると、補助蓋５２の内向きフランジ５２Ｆは、開閉物体Ｍの取付け孔ＭＨの周辺の表面と表側部材２０のフランジ２４との間に固定される。なお、図３（Ｂ）及び図５に示すように、表側部材２０の周壁２２の外面には適宜の間隔をあけてテーパ状のリブ２２Ｒが設けられ、また裏側部材３０の周壁３２の大周部３２Ｌの外面には同様のテーパ状のリブ３２ＬＲが設けられており、これらのリブ２２Ｒ、３２ＬＲは、周壁２２が取付け孔ＭＨに圧入される際に取付け孔ＭＨの内面に押し付けられて周壁２２、３２を堅固に取付け孔ＭＨに取り付ける機能を有している。
【００２５】
図２に示すように、開閉物体Ｍの外側の空気は、表側部材２０の補助蓋５２の指差込み孔５２Ｈから表側部材２０の周壁２２の通気溝４２、裏側部材３０の通気孔３６（即ち通気手段４０）を経て開閉物体Ｍの内部に入り込み、また開閉物体Ｍの内部の空気は、裏側部材３０の通気孔３６、表側部材２０の周壁２２の通気溝４２、補助蓋５２の指差込み孔５２Ｈを経て外部に放出され、従って、開閉物体Ｍの内外は、この通気手段４０を介して通気される。
【００２６】
図示の形態では、周壁２２の上端で外向きフランジ２４とは反対側の部分に通気溝４２の上端開口から斜め上向きに延びる傾斜開口４２ＵＣを形成する内向きフランジ２５を有し、外気は、この内向きフランジ２５内の傾斜開口４２ＵＣ、上端開口４２ＬＯを介して通気溝４２に連通しているが、この内向きフランジ２５はなくてもよい。
【００２７】
上記のように、通気手段４０が表側部材２０の周壁の内周に設けられて裏側部材３０の取付け板３２の通気孔３６を介して裏側部材３０の内側に連通している通気溝４２から成っていると、通気溝４２は、表側部材２０の周壁２２と裏側部材３０の周壁３２との間に位置し、従って周壁２２、３２の開口端側の通気溝４２の端部は、表側部材２０の周壁２２の内面に位置する上に通気溝４２の開口は上向きとなるため、特に、開口覆い手段５０がなくても通気手段４０による取っ手１０の見栄えを悪くすることがないが、開口覆い手段５０は、通気溝４２の開口を隠して見栄えを一層向上することができる。
【００２８】
更に、通気溝４２は、表側部材２０の周壁２２の内面に沿って設けられるので、従来の裏側部材の取付け板の板面を貫通して通気孔を設けるものに比べて、見栄えを悪くすることなく、空気通路の数（通気溝の数）を多くすることができ、通気量を増大することができる。
【００２９】
なお、通気溝４２は、表側部材２０の周壁２２の内面に代えて裏側部材３０の周壁３２の外面に設けてもよいし、表裏の部材２０、３０の周壁２２、３２の相対する面に半円形の形態で形成してもよく、これらの場合にも、上記と同様の効果を得ることができる。
【００３０】
また、図示の形態では、通気溝４２は、垂直方向に細長い多数の溝部分４２Ｐから成っているが、周壁面に沿って横長で幅広に形成された１つ又は少数の溝又は溝部分から成っていてもよく、この場合には、周壁２２，３２の開口端側の通気溝４２の端部は、単純化して見栄えが一層向上する上に、通気量も一層増加するので有利である。
【００３１】
本発明の第２の実施の形態による取っ手１０が図８乃至図１３に示されている。この実施の形態による取っ手１０、は、開口覆い手段５０を除き図１乃至図７の実施の形態による取っ手１０の構造と実質的に同じであり、同じ部分には同じ符号が付されている。
【００３２】
第２の実施の形態による取っ手１０の開口覆い手段５０は、補助蓋５２を有しないで、図９、図１０（Ａ）、図１２（Ａ）及び図１３（Ａ）に示すように、表側部材２０の周壁２２の開口部に外向きフランジ２４とは反対側に延びて通気溝４２の上端開口４２ＵＯを覆う内向きフランジ（突出部）２５から成っている。第２の実施の形態による周壁２２の内向きフランジ２５は、相対する横長辺の一方は大きく突出し、他方は小さく突出しており、従ってこれらの相対する横長辺の内向きフランジ２５の突出幅が異なっているが、これらの突出幅は、同じであってもよい。
【００３３】
この第２の実施の形態では、表側部材２０の周壁２２の開口部が指差込み孔５２Ｈを形成し、またこの大きく突出する内向きフランジ２５が差し込まれた指を掛ける指掛け部を兼ねている。
【００３４】
第２の実施の形態による取っ手１０も、通気通路の見栄え及び通気量に関し、第１の実施の形態による取っ手１０と同様の効果を有する。
【００３５】
上記２つの実施例では、表側部材２０は、フランジ２４を有していてこのフランジ２４が開閉物体Ｍの表面に係合しているため、このフランジ２４の厚み分だけ取っ手１０が突き出しているが、フランジ２４がなくてもよく、この場合、表側部材２０は、周壁２２の内面から斜めに貫通して開閉物体Ｍの肉厚壁にねじ込む複数のねじによって開閉物体Ｍに固定してもよい。
【００３６】
また、上記２つの実施例では、種々の家具等の抽斗、戸等の開閉物体Ｍに取り付けたが、例えば、種々の置台や置物の如き非開閉式物体の両側面に指を差し込んでこの物体を持ち上げるための取っ手として用いてもよい。
【産業上の利用可能性】
【００３７】
本発明によれば、上記のように、通気手段が表裏の部材の周壁の相対する面の一方又は双方に跨って設けられて周壁の嵌合方向に沿って形成されている通気溝から成っているため、見栄えを良くすることができ、高い産業上の利用性を有する。
【符号の説明】
【００３８】
Ｍ        開閉物体
ＭＨ      取付け孔
１０      取っ手
２０      表側部材
２２      周壁
２２Ｅ    下側開口端
２２Ｕ    上端
２２Ｒ    リブ
２４      外向きフランジ
２５      内向きフランジ
３０      裏側部材
３２      周壁
３２Ｌ    大周部
３２Ｒ    へこみ
３４      取付け板
３４Ｈ    ねじ貫通孔
３４ＨＬ  拡大部分
３６      通気孔
４０      通気手段
４２      通気溝
４２Ｐ    溝部分
４２ＬＯ  通気溝の下端
４２ＵＯ  通気溝の上端（表側の端部）
４２ＵＣ  傾斜開口
５０      開口覆い手段
５２      補助蓋
５２Ｆ    内向きフランジ
５２Ｕ    上壁
５２Ｈ    指差込み孔
５４      内周壁
【図１】
2015039508.tif 000003
【図２】
2015039508.tif 000004
【図３】
2015039508.tif 000005
【図４】
2015039508.tif 000006
【図５】
2015039508.tif 000007
【図６】
2015039508.tif 000008
【図７】
2015039508.tif 000009
【図８】
2015039508.tif 000010
【図９】
2015039508.tif 000011
【図１０】
2015039508.tif 000012
【図１１】
2015039508.tif 000013
【図１２】
2015039508.tif 000014
【図１３】
2015039508.tif 000015